(57)【要約】【課題】トラクタの後方に連結される農作業機の作業時間を確認するための稼働時間確認手段を設けた農作業機を提供する。【解決手段】トラクタの後方に連結されて、トラクタのＰＴＯ軸１１にジョイント１２等の回転伝達手段を介して回転を伝達して作業を行う農作業機において、回転部の回転数により作業時間を算出する稼働時間確認手段５５を設けるとともに、前記回転部に発電装置を設け、さらに前記回転部の回転を検知する回転認識センサを設けることを特徴とする農作業機。 【選択図】図２
2012044928.tif 000002
【特許請求の範囲】
【請求項１】
トラクタの後方に連結されて、トラクタのＰＴＯ軸にジョイント等の回転伝達手段を介して回転を伝達して作業を行う農作業機において、回転部の回転により作業時間を算出する稼働時間確認手段を設けたことを特徴とする農作業機。
【請求項２】
前記回転部の回転数により作業時間を計測する稼働時間確認手段を設けたことを特徴とする請求項１に記載の農作業機。
【請求項３】
前記回転部に発電装置を設け、発電手段から作業時間を計測する稼働時間確認手段を設けたことを特徴とする請求項１に記載の農作業機。
【請求項４】
前記回転部の回転を検知する回転認識センサを設け、回転部が回転している間、作業時間を計測する稼働時間確認手段を設けたことを特徴とする請求項１に記載の農作業機。
【発明の詳細な説明】
【技術分野】
【０００１】
本発明は、走行機体の後部に装着され、走行機体の走行に応じて進行しながら走行機体から伝達される動力によって作業を行う農作業機に関するものである。
【先行技術文献】
【特許文献】
【０００２】
【特許文献１】特開平０５−３３８４６７号公報  従来、例えばトラクタ本体に設けられた表示部に稼動時間を表示するアワメータを設けた農作業機が知られている（例えば特許文献1参照）。
【発明の概要】
【発明が解決しようとする課題】
【０００３】
しかしながら、上記従来のようにエンジンを搭載した農作業機であるトラクタ本体の稼働時間は、アワメータ等で確認することができるが、トラクタ後部に装着されて作業を行う例えばロータリ等の作業機の稼働時間を確認するにはトラクタ本体の稼働時間を確認するしかなかった。
つまり、トラクタ本体に装着される作業機が一種類ではなく、複数、例えばロータリ作業機と代掻き作業機と畦塗り作業機等を作業の種類によって付け替えて使用した場合、それぞれの作業時間を確認する手段が無いという問題があった。
【課題を解決するための手段】
【０００４】
請求項１記載の農作業機は、トラクタの後方に連結されて、トラクタのＰＴＯ軸にジョイント等の回転伝達手段を介して回転を伝達して作業を行い、回転部の回転により作業時間を算出する稼働時間確認手段を設けたものである。
請求項２に記載の農作業機は、前記回転部の回転数により作業時間を計測する稼働時間確認手段を設けたものである。
請求項３に記載の農作業機は、前記回転部に発電装置を設け、発電手段から作業時間を計測する稼働時間確認手段を設けたものである。
請求項４に記載の農作業機は、前記回転部が回転しているか止まっているかを検知する回転認識センサを設け、回転部が回転している間、作業時間を計測する稼働時間確認手段を設けたことを特徴とする
【発明の効果】
【０００５】
請求項１に係る発明によれば作業機の回転部の回転により作業時間を算出する稼働時間確認手段を設けたことにより、作業機毎の稼動時間を確認することができる。
【０００６】
請求項２に係る発明によれば作業機の回転部の回転数により作業時間を計測する稼働時間確認手段を設けたことにより、簡単な構成で稼動時間を確認することができる。
請求項３に係る発明によれば作業機の回転部に発電装置を設け、発電手段から作業時間を計測する稼働時間確認手段を設けたことにより、正確な稼動時間を確認することができる。
請求項４に係る発明によれば作業機の回転部が回転しているか止まっているかを検知する回転認識センサを設け、回転部が回転している間、作業時間を計測する稼働時間確認手段を設けたことにより、正確な稼働時間を確認することができる。
【図面の簡単な説明】
【０００７】
【図１】本発明の一実施の形態に係る農作業機であるロータリ作業機の側            面図である。
【図２】同上農作業機の部分平面図である。
【図３】本発明の第2の実施例を表す部分平面図である。
【図４】本発明の第３の実施例を表す部分平面図である。
【図５】本発明の他の農作業機である畦塗り作業機の平面図である。
【発明を実施するための形態】
【０００８】
本発明の農作業機の一実施の形態を図面を参照して説明する。
【０００９】
図1及び図２に示されるように、１０は農作業機で、この農作業機1０は、走行車であるトラクタ１に連結された状態でトラクタの走行により圃場を耕耘する農作業機である。
【００１０】
農作業機１０は、トラクタ後部の３点リンク部（作業機昇降装置）に連結される機体５を備えている。
【００１１】
機体５は、一端部である左端部にチェーンケース部２６を有し、他端部である右端部にブラケット部２８を有し、これら左右のチェーンケース部２６およびブラケット部２８間には入力軸１５側からの動力で左右方向の耕耘軸２０を中心として所定方向に回転しながら耕耘作業をするロータリ式の耕耘体２３が回転可能に配設されている。
【００１２】
耕耘体２３は、左端部がチェーンケース部２６にて回転可能に支持されかつ右端部がブラケット部２８にて回転可能に支持された左右方向長手状の回転軸である耕耘軸２０と、この耕耘軸２０のうちこの耕耘軸２０の軸方向に所定間隔をおいた複数のフランジ２１に放射状に突設された複数の耕耘爪２２とを有している。
耕耘軸２０は、チェーンケース部２６内のチェーン３５、フレームパイプ部３０内の伝動シャフト３１およびミッションケース部７内のベベルギア３２等にて構成された動力伝達手段８を介して入力軸１５に接続されている。入力軸１５は、トラクタのＰＴＯ軸１１にジョイント等からなる動力伝達手段１２を介して接続される。
【００１３】
また、機体５は、耕耘体２３の上方を覆う耕耘部カバー部であるカバー部２５を有している。そして、カバー部２５の後端部には、耕耘体２３の後方で圃場面に追従するように機体５に対して左右方向の回動中心線を中心として上下方向に回動しながら整地作業をする略板状の整地体である均平板２４が上下方向に回動可能に設けられている。
【００１４】
均平板２４は、耕耘体２３と略同じ作業幅をもつ左右方向長手状のもので、平面視で略矩形板状をなす形状に形成されている。
【００１５】
また、農作業機１０は図１及び図２に示されるように、入力軸１５のミッションケース部７側近傍に第１ギア５０が取り付けられ、入力軸の回転に伴い第１ギア５０も回転する。
【００１６】
なお、第１ギア５０は図２に示すように、第２ギア５１と噛み合うように配設され、第２ギア５１は稼働時間表示手段５５に軸５２を介して接続されている。
【００１７】
つまり、トラクタのＰＴＯ軸１１に動力伝達手段１２を介して接続される入力軸１５はトラクタのＰＴＯ軸の回転と同じ回転数で回転する。トラクタのＰＴＯ軸１１の回転数は、例えば１分間に５４０回転する。この回転数はトラクタの種類、作業機の種類によって変わることがある。
【００１８】
そして、入力軸１５が回転すると、入力軸１５のミッションケース部７側近傍に固定的に取り付けられた第１ギア５０が回転し、その回転に伴い第２ギア５１が回転する。第２ギアの回転は軸５２を介して稼働時間表示手段５５に伝達される。稼働時間表示手段５５は、例えばアワメータ等で構成され、軸５２の回転数を基にどの位の時間作業が行われたのかを表示する。
なお、トラクタのＰＴＯ軸１１の回転数が異なる場合でも、作業時間を把握することが可能である。農作業機１０の種類によってＰＴＯ軸１１の回転数を変えて作業を行う他の農作業機に稼働時間表示手段５５を取り付ける場合は第１ギア５０と第２ギア５１のギア比を変更することで正確な作業時間を表示することができる。
次に、農作業機１０の作用等を説明する。
【００１９】
水田等の圃場においてトラクタ１の前進走行により農作業機１０を進行方向前方に移動させると、耕耘体２３にて耕耘作業が行われ、この耕耘体２３の後方で、均平板２４にて整地作業が行われる。
【００２０】
トラクタ１のＰＴＯ軸１１に動力伝達手段１２を介して接続される入力軸１５はＰＴＯ軸１１と同じ回転数で回転する。入力軸１５に取り付けられた第１ギア５０は入力軸１５と共に回転し、その回転を第２ギア５１及び軸５２を介して稼働時間表示手段５５に伝えられる。
ここで、例えばトラクタ１に取り付けた農作業機１０であるロータリ作業機を取り外し、図５に示す他の農作業機８０である畦塗り作業機をトラクタ１に取り付けて作業を行った場合においても、農作業機１０と同様に稼動時間を確認することができる。
【００２１】
つまり、農作業機８０の入力軸８５に取り付けられた第１ギア８１と、第２ギア８２と、軸８３に伝達された回転数により稼働時間を表示する稼働時間表示手段８４を設けることで、農作業機８０の実際の稼動時間を確認することができる。
【００２２】
さらに、図３に示す第２の実施例のように入力軸１５に第１ギア５０を取り付け、第２ギア５１に軸５２を介して回転を発電装置６２に伝えることで、発電装置６２が発電している間（入力軸１５が回転している間）のみ配線６３を通じて、稼働時間表示装置６５に電気（電流）を流すことで作業機の稼働時間を表示させることが可能となる。
【００２３】
この場合、稼働時間表示装置６５は電気（電流）が流れた時間を計測してその時間を表示するように構成されているので、回転数から稼動時間を算出する実施例１に比べより正確な稼働時間を表示することが可能となる。
【００２４】
また、第2の実施例の構成によると、ＰＴＯ軸１１の回転数が規定の回転数以外で農作業機１０を使用した場合でも、正確な稼動時間を表示することが可能であるのはもちろんのこと、ＰＴＯ軸１１の回転数が変動する作業機（例えば施肥作業機）にも対応が可能となる。
そして、図４に示す第３の実施例のように入力軸１５に第１ギア５０を取り付け、第１ギア５０が回転しているか止まっているかを検知する回転確認センサ７０をセンサ取付部材７１にて固定して、第１ギア５０の回転を検知して、回転している間のみ作業を行っていると認識してハーネス７２を介してその時間を稼働時間表示装置７５に表示させることが可能となる。
この場合、稼働時間表示装置７５は実回転時間を表示するように構成されているので、実施例２と同様正確な稼動時間を表示することが可能となる。
また、回転部が回転しているかを検知する回転認識センサ７０は近接センサ又は回転センサ等で構成することが可能である。
そして、回転認識センサを作動させるための電源は、稼働時間表示装置７５内に設けられた電池を使用する場合、トラクタのバッテリー電源を使用する場合等が考えられるが、作動させられるものであれば電源は任意である。
【００２５】
さらに、図２ないし図４に示す構成には限定されず、回転部であれば入力軸１５以外の回転を基に稼働時間を算出した場合も同様の効果が得られる。  
そして、このような稼働時間表示装置を耕耘作業機である農作業機１０や畦塗り作業機である農作業機８０等の作業機毎に取り付けておくことで、使用する作業機すべての実際の稼動時間を把握することができる。
つまり、稼働時間表示装置を農作業機１０や農作業機８０側に設けることにより、複数の作業機をトラクタ１に取り付けて使用した場合においても、作業機毎の稼動時間を把握することが可能となるので、オイル交換等のメンテナンス時期の確認や、消耗品の交換時期等が、作業機毎に確認可能となる。
【符号の説明】
【００２６】
１    トラクタ
１０、８０  農作業機
１１  トラクタＰＴＯ軸
１２  ジョイント
１５、８５  入力軸
５０、８１  第１ギア
５１、８２  第２ギア
５２、８３  軸
５５、６５、７５、８４    稼働時間表示手段
６２  発電装置
７０  回転確認センサ
【図１】
2012044928.tif 000003
【図２】
2012044928.tif 000004
【図３】
2012044928.tif 000005
【図４】
2012044928.tif 000006
【図５】
2012044928.tif 000007